(57)【要約】【課題】  ユーザー認証装置が動作可能で、コンパクトで使い勝手が良く、ユーザー操作性を向上可能なキーボート装置を提供する。【解決手段】  ＤＣ電源が供給可能な自己給電ハブ（１９ａ、１９ｂ）を２ポート搭載しているコンピュータ（１９）に本発明のキーボード装置（１１）を、ＵＳＢケーブル２１―１、２１―２を介して接続する。キーボード装置（１１）は、ユーザー認証部（１５）やマウス部（１７）をキーボード部（１３）に搭載する。【選択図】  図１
2007241467.tif 000002
【特許請求の範囲】
【請求項１】
コンピュータに接続されるキーボード部と、
当該コンピュータの使用の際に個人認証を行うユーザー認証部と、
を有するキーボード装置であって、
当該キーボード部と当該ユーザー認証部とが一体に構成されると共に、
当該キーボード部は、
当該コンピュータとの間でキーボードデータ信号を伝送するキーボード側インターフェースを備える他方、
当該ユーザー認証部は、
当該コンピュータとの間で認証データ信号を伝送する認証側インターフェースを備え、
当該インターフェースの各々には、
一端及び他端を持ち所定の最大許容電流値が規定されたケーブルの当該一端を受け入れるケーブルコネクタが備えられており、
当該コンピュータは、ＤＣ供給電源を持ち、当該キーボードデータ信号及び当該認証データ信号に基づいて当該ユーザー認証部へ優先的にＤＣ電源を供給可能な一対の自己給電ハブを有し、
当該一対のケーブルは、当該一端近傍では二股であり、束ねられて一体となった一体部分を備え、当該一体部分から二股になって当該他端まで延びており、
当該コンピュータの自己給電ハブに当該他端がそれぞれ接続され、当該ユーザー認証部へ優先的に当該ＤＣ電源が当該ケーブルを介して供給可能に構成されている
ことを特徴とするキーボード装置。
【請求項２】
前記ケーブルは、
前記自己給電ハブに対応してシリアルバス制御が可能であり、
前記キーボード部は、
入力装置と接続可能なバス給電ハブを備えるように構成される
ことを特徴とする請求項１に記載のキーボード装置。
【請求項３】
前記コンピュータのモニター画面上で入力操作位置を表示するためのマウス部
を備え、前記ユーザー認証部が、前記キーボード部を介して当該マウス部と一体に構成される
ことを特徴とする請求項１又は２に記載のキーボード装置。
【発明の詳細な説明】
【技術分野】
【０００１】
この発明は、入力装置、より詳しくは、キーボート装置に関するものである。
【背景技術】
【０００２】
従来、この種の入力装置として、コンピュータに接続され、キーボードが一体に設けられた個人認証する本人認証システムがある（特許文献１参照）。
【特許文献１】特開平１１−１７５４７８号公報（請求項６及び図１参照）
【発明の開示】
【発明が解決しようとする課題】
【０００３】
ところで、上述した従来のキーボード装置は、本人認証システムが一体の場合、ＵＳＢケーブル１本でも、キーボード装置用及び認証装置用のそれぞれの電流値を加算したときでも、ＵＳＢ規格の定常電流（許容電流）の範囲内に収まる。
【０００４】
しかしながら、認証装置の起動時に定常電流（許容電流）より大きい電流が流れることがある。これは、認証装置の起動電流によって、コンピュータの制御部の電流制限監視機能が作動することによる。そのため、ＵＳＢケーブル１本では、現実には、使用不能となる。しかもコンパクトでなく使い勝手が悪く、ユーザー操作性の向上が必要であるという課題がある。
【０００５】
そのため、本発明の発明者は、このような課題に鑑み、ユーザー認証装置が動作可能なように電源が供給可能な自己給電ハブ（例えばＵＳＢハブ）を２ポート搭載しているコンピュータに着目し、当該コンピュータに接続されるキーボードに認証装置やマウスを搭載することを創作した。
【０００６】
そこで、本発明の技術的課題は、ユーザー認証が可能で、コンパクトで使い勝手が良く、ユーザー操作性を向上可能なキーボード装置を提供することにある。
【課題を解決するための手段】
【０００７】
上記知見を基に研究を続けた発明者は、次の構成を採用した。詳細は、項を改めて説明する。なお、何れかの請求項記載の発明を説明するに当たって行う用語の定義等は、その性質上可能な範囲において他の請求項記載の発明にも適用があるものとする。
【０００８】
（請求項１記載の発明の特徴）
請求項１記載の発明に係る装置（以下、適宜「請求項１のキーボード装置」という）は、コンピュータに接続されるキーボード部と、当該コンピュータの使用の際に個人認証を行うユーザー認証部と、を有するキーボード装置であって、当該キーボード部と当該ユーザー認証部とが一体に構成されると共に、当該キーボード部は、当該コンピュータとの間でキーボードデータ信号を伝送するキーボード側インターフェースを備える他方、当該ユーザー認証部は、当該コンピュータとの間で認証データ信号を伝送する認証側インターフェースを備え、当該インターフェースの各々には、一端及び他端を持ち所定の最大許容電流値が規定されたケーブルの当該一端を受け入れるケーブルコネクタが備えられており、当該コンピュータは、ＤＣ供給電源を持ち、当該キーボードデータ信号及び当該認証データ信号に基づいて当該ユーザー認証部へ優先的にＤＣ電源を供給可能な一対の自己給電ハブを有し、当該一対のケーブルは、当該一端近傍では二股であり、束ねられて一体となった一体部分を備え、当該一体部分から二股になって当該他端まで延びており、当該コンピュータの自己給電ハブに当該他端がそれぞれ接続され、当該ユーザー認証部へ優先的に当該ＤＣ電源が当該ケーブルを介して供給可能に構成されている。
【０００９】
請求項１のキーボード装置によれば、キーボード部とユーザー認証部とが一体に構成され、コンピュータの一対の自己給電ハブに所定の最大許容電流値が規定されたケーブルの他端がそれぞれ接続され、ケーブルの一端の各々は、キーボード側及び認証側インターフェースにそれぞれ接続される。そのため、ユーザー認証部へ優先的に自己給電ハブ、ケーブル、及び認証側インターフェースを介してＤＣ電源が供給され、認証操作が可能となる。その後、キーボード部へ自己給電ハブ、ケーブル、キーボード側インターフェースを介してＤＣ電源が供給されキーボード操作が可能となる。
【００１０】
（請求項２記載の発明の特徴）
請求項２記載の発明に係る装置（以下、適宜「請求項２のキーボード装置」という）は、請求項１のキーボード装置の基本的構成を備えさせた上で、前記ケーブルは、前記自己給電ハブに対応してシリアルバス制御が可能であり、前記キーボード部は、入力装置と接続可能なバス給電ハブを備えるように構成される。
【００１１】
請求項２のキーボード装置によれば、請求項１のキーボード装置の作用効果に加え、キーボード部での操作でシリアルバス制御が可能となり、前記キーボード部のバス給電ハブには、入力装置が接続可能となる。
【００１２】
（請求項３記載の発明の特徴）
請求項３記載の発明に係る装置（以下、適宜「請求項３のキーボード装置」という）は、請求項１又は２のキーボード装置の基本的構成を備えさせた上で、前記コンピュータのモニター画面上で入力操作位置を表示するためのマウス部を備え、前記ユーザー認証部が、前記キーボード部を介して当該マウス部と一体に構成される。
【００１３】
請求項３のキーボード装置によれば、請求項１又は２のキーボード装置の作用効果に加え、キーボード部及びマウス部についてユーザーの片手だけでも操作性が向上する。
【発明の効果】
【００１４】
本発明に係るキーボード装置によれば、ユーザー認証装置が動作可能なように電源が供給可能な自己給電ハブを２ポート搭載しているコンピュータに接続されるキーボードに認証装置やマウスを搭載する構成を備えるので、ユーザー認証が可能で、コンパクトで使い勝手が良く、ユーザー操作性を向上可能なキーボート周辺装置を提供することが可能となる。
【発明を実施するための最良の形態】
【００１５】
各図を参照しながら、発明を実施するための最良の形態（以下、適宜、「本実施形態」という）について説明する。図１は、本実施形態のキーボード装置をコンピュータに接続した概略全体図である。図２は、図１の配線系統図である。
【００１６】
図１を参照しながら、キーボード装置１１をコンピュータ１９に接続する例について説明する。キーボード装置１１は、ユーザーによって入力操作された入力情報をコンピュータ１９に伝送するキーボード部１３と、コンピュータ１９の使用の際に個人認証を行う静脈認証等のユーザー認証部１５と、を有する。そして、キーボード装置１１は、キーボード部１３とユーザー認証部１５とが一体に構成される。キーボード部１３は、キーボード装置１１をコンパクトにするため、テンキーを除くキーが搭載されている。
【００１７】
図２に示すように、コンピュータ１９は、周辺装置を制御するＵＳＢコントローラを持つ制御部１９−１、外部からＡＣ電源を受けＤＣ電源に変換するＡＣ／ＤＣ変換器（ＤＣ供給電源）１９−２、及び最大電流５００ｍＡが規格された自己給電ハブを２ポート有するＵＳＢハブ（自己給電ハブ）１９ａ、１９ｂを備えるモニター・ハードディスク内蔵コンピュータである。コンピュータ１９は、Ｉ／Ｏポート等の自動設定可能なプラグアンドプレイ機能を持つ二股ＵＳＢケーブル２１が接続される。自己給電ハブ１９ａ、１９ｂは、周辺装置が２台接続可能で、ＡＣ／ＤＣ変換器１９−２からＤＣ電源、すなわち、５Ｖ電源を供給可能である。
【００１８】
制御部１９−１のＵＳＢコントローラは、キーボードデータ信号及び認証データ信号を受け、認証データの入力を優先的に確認して自己給電ハブ１９ｂを動作しＤＣ電源電圧５Ｖ、５００ｍＡをＵＳＢケーブル２１−１に供給する。その後、認証動作が完了しユーザーが使用許可された場合には、自己給電ハブ１９ｂを動作しＵＳＢケーブル２１−２に給電され、キーボード部１３の操作が可能となるように設定されている。
【００１９】
キーボード部１３は、コンピュータ１９とキーボード部１３との間でデータ信号を伝送するキーボード側インターフェース１３−２を有するキーボード制御基板１３−１を備える。ユーザー認証部１５は、コンピュータ１９とユーザー認証部１５との間でデータ信号を伝送する認証側インターフェース１５−２を有する静脈認証ユニット１５−１を備える。キーボード側インターフェース１３−２とコンピュータ１９との間には、一端２１−１ａ及び他端２１−１ｃを持ち、所定の最大許容電流値、５００ｍＡが規定されたＵＳＢケーブル２１−１が接続される。同様に、認証側インターフェース１５−２とコンピュータ１９との間には、一端２１−２ｂ及び他端２１−２ｄを持ち、所定の最大許容電流値、５００ｍＡが規定されたＵＳＢケーブル２１−２が接続される。
【００２０】
キーボード側インターフェース１３−２は、ＵＳＢケーブル２１−１の一端を受け入れるケーブルコネクタ（汎用コネクタ）２１−１ａを有する。認証側インターフェース１５−２は、ＵＳＢケーブル２１−２の一端を受け入れるケーブルコネクタ（ＵＳＢ（Ｂ）、ハーフピッチ、５ｐｉｎ）２１−１ｂを有する。ＵＳＢケーブル２１−１は、キーボード装置１１側の一端２１−１ａが、ケーブルコネクタ（汎用コネクタ）及びフレームグランド（ＦＧ）端子と接続されている。そして、ＵＳＢケーブル２１−１の他端２１−１ｃは、ＵＳＢケーブルコネクタが接続されている。同様に、ＵＳＢケーブル２１−２の一端２１−２ｂは、ケーブルコネクタ（ＵＳＢ（Ｂ）、ハーフピッチ、５ｐｉｎ）が接続されている。そして、他端２１−２ｄには、ＵＳＢケーブルコネクタが接続されている。
【００２１】
詳しく述べると、一対のＵＳＢケーブル２１−１，２１−２は、一端近傍では二股で、束ねられて一体となったモールド一体部分の分離部２３を備え、分離部２３から二股になって他端まで延びている。前記コンピュータ１９の自己給電ハブ１９ａ、１９ｂに当該他端がそれぞれ接続可能に構成されている。
【００２２】
ＵＳＢケーブル２１−１，２１−２は、自己給電ハブ１９ａに対応してシリアルバス制御が可能であり、キーボード制御基板１３−１は、テンキー入力装置１４−３をＵＳＢケーブル１４−２のＵＳＢケーブルコネクタ１４−１と接続可能なバス給電ハブ１３−１ａを備えるように構成される。テンキー入力装置１４−３の操作でキーボード制御基板１３−１を介してコンピュータ１９をシリアルバス制御が可能となる。
【００２３】
その上、本発明のキーボード装置１１には、コンピュータ１９のモニター画面上で入力操作位置を表示するためのマウス部１７が一体に備えられている。マウス部１７は、制御ＩＣ１７−２ａ搭載のマウス制御基板１７−２が、キーボード制御基板１３−１とＦＰＣケーブル１７−３を介して接続されている。本発明のキーボード装置１１は、マウス部１７も一体である結果、ユーザーの操作性が更に向上する。
【産業上の利用可能性】
【００２４】
本発明のキーボード装置は、様々な変形例が可能である。例えば、ＵＳＢケーブルの代わりにＰＳ／２でも可能である。
【図面の簡単な説明】
【００２５】
【図１】本実施形態に係るキーボード装置をコンピュータに接続した状態を示す概略全体図である。
【図２】キーボード装置とコンピュータとの配線系統図である。
【符号の説明】
【００２６】
１１            キーボード装置
１３            キーボード部
１３−１        キーボード制御基板
１３―１ａ      バス給電ハブ（ＵＳＢハブ（ＵＳＢポート））
１３−２        キーボード側インターフェース
１４―１        ＵＳＢケーブルコネクタ
１４−２        ＵＳＢケーブル
１４−３        テンキー入力装置
１５            ユーザー認証部
１５−１        静脈認証ユニット
１５−２        認証側インターフェース
１７            マウス部
１７−２        マウス制御基板
１７−２ａ      制御ＩＣ
１７−３        ＦＰＣケーブル
１９            コンピュータ
１９−１        制御部（ＵＳＢコントローラ）
１９−２        ＡＣ／ＤＣ変換器（ＤＣ供給電源）
１９ａ，１９ｂ  自己給電ハブ（ＵＳＢハブ（ＵＳＢポート））
２１            二股ＵＳＢケーブル
２１−１        ＵＳＢケーブル
２１−２        ＵＳＢケーブル
２１−１ａ      一端（ケーブルコネクタ（汎用コネクタ））
２１−１ｃ      他端（ＵＳＢケーブルコネクタ）
２１−２ｂ      一端（ケーブルコネクタ（ＵＳＢ（Ｂ）、ハーフピッチ、５ｐｉｎ）
２１−２ｄ      他端（ＵＳＢケーブルコネクタ）
２３            分離部
【図１】
2007241467.tif 000003
【図２】
2007241467.tif 000004